(57)【要約】【課題】清浄装置に故障等のトラブル等が発生した場合であっても、可能な限り遊技者の遊技に影響を与えることのない遊技機設置島を提供すること。【解決手段】遊技機設置島１は、前記清浄装置５０の少なくとも清浄領域Ｚを経由させずに揚送装置２５へ導くためのバイパス路が形成可能になっており、前記バイパス路を形成することにより、下部貯留領域２００Ｒ、２００Ｌ、９Ｒ、９Ｌ、１０Ｒ、１０Ｌから流出される遊技媒体を揚送装置２５に誘導させ、前記揚送装置２５により上部貯留領域３に揚送されるように構成されている。【選択図】    図１２
2004321255.tif 000002
【特許請求の範囲】
【請求項１】
複数の遊技機が設置されるとともに、遊技機設置島の下部に配設され、遊技媒体を貯留する下部貯留領域と、該下部貯留領域から流出される遊技媒体を受け入れて該遊技媒体の清浄を実施する清浄装置と、該清浄装置によって清浄された遊技媒体を前記遊技機設置島の上部に揚送する揚送装置と、該揚送装置により揚送された前記遊技媒体を貯留する上部貯留領域と、を備える遊技機設置島であって、
前記下部貯留領域から流出される遊技媒体を、前記清浄装置の少なくとも清浄領域を経由させずに前記揚送装置へ導くためのバイパス路が形成可能に構成されていることを特徴とする遊技機設置島。
【請求項２】
前記バイパス路は、前記下部貯留領域から流出される遊技媒体を前記揚送装置に導く着脱可能な通路部材である請求項１に記載の遊技機設置島。
【請求項３】
前記通路部材は、長手方向に伸縮自在に形成されている請求項２に記載の遊技機設置島。
【請求項４】
前記下部貯留領域から流出される遊技媒体の流路を、前記清浄装置側または前記バイパス路側のいずれかに切換える切換え手段を有している請求項１に記載の遊技機設置島。
【請求項５】
前記清浄装置の異常を検出する異常検出手段と、
前記異常検出手段により前記清浄装置の異常が検出されたことに基づいて、前記切換え手段を前記バイパス路側に切換える切換制御を行う切換制御手段と、
を備える請求項４に記載の遊技機設置島。
【請求項６】
前記切換制御手段により前記切換え手段を前記バイパス路側に切換える切換制御が行われている状態を報知する切換報知手段を備える請求項５に記載の遊技機設置島。
【請求項７】
前記切換制御手段により前記切換え手段を前記バイパス路側に切換える切換制御が行われているとき、前記バイパス路の遊技媒体を検出する遊技媒体検出手段と、
該遊技媒体検出手段による検出結果に基づいて、前記バイパス路を遊技媒体が流下しているか否かを認識可能に報知する報知手段と、
を備える請求項５または６に記載の遊技機設置島。
【発明の詳細な説明】
【０００１】
【発明の属する技術分野】
本発明は、例えば遊技機としてのパチンコ機等が複数設置されるとともに、遊技に使用する遊技媒体としてのパチンコ球を循環させる循環経路が内部に配設された遊技機設置島に関する。
【０００２】
【従来の技術】
従来、この種のパチンコ機（遊技機）等が設置される遊技機設置島には、一般的に遊技機設置島内部の循環経路中にパチンコ球（遊技媒体）を清浄する清浄装置が備えられており、パチンコ球の表面に付着した埃やゴミ等を除去し、研磨されるようになっている。
【０００３】
このような遊技機設置島のパチンコ球の清浄装置としては、揚送時にパチンコ球を研磨する方式と、メンテナンスのために揚送装置とは別体に構成された清浄装置でパチンコ球の研磨を行い、研磨されたパチンコ球を揚送装置によって遊技機設置島の上部に揚送させる方式がある（特許文献１参照。）。
【０００４】
【特許文献１】
特開２００１−１２９２２７号公報  （第２頁、第４図）
【０００５】
【発明が解決しようとする課題】
しかしながら、上記公報に記載の清浄装置は、循環経路の一部を構成しているため、清浄装置に故障等のトラブルが発生した場合には、遊技機設置島を循環する遊技媒体の循環経路に支障をきたすことになり、遊技不能になるばかりか、清浄装置のメンテナンス等の為に遊技機設置島の稼動を長時間中止しなければならないといった問題を有していた。
【０００６】
本発明は、このような問題点に着目してなされたもので、清浄装置に故障等のトラブル等が発生した場合であっても、可能な限り遊技者の遊技に影響を与えることのない遊技機設置島を提供することを目的とする。
【０００７】
【課題を解決するための手段】
前記した問題を解決するために、本発明の遊技機設置島は、複数の遊技機が設置されるとともに、遊技機設置島の下部に配設され、遊技媒体を貯留する下部貯留領域と、該下部貯留領域から流出される遊技媒体を受け入れて該遊技媒体の清浄を実施する清浄装置と、該清浄装置によって清浄された遊技媒体を前記遊技機設置島の上部に揚送する揚送装置と、該揚送装置により揚送された前記遊技媒体を貯留する上部貯留領域と、を備える遊技機設置島であって、
前記下部貯留領域から流出される遊技媒体を、前記清浄装置の少なくとも清浄領域を経由させずに前記揚送装置へ導くためのバイパス路が形成可能に構成されていることを特徴とする。
この特徴によれば、前記清浄装置に故障等のトラブルが発生した場合に、前記下部貯留領域から流出される遊技媒体を前記バイパス路で少なくとも清浄領域を通過させずに前記揚送装置に誘導させることにより、遊技機設置島に新たな遊技媒体の循環経路を形成でき、可能な限り遊技者の遊技に影響を与えることのない遊技機設置島を提供することができる。
【０００８】
本発明の遊技機設置島の前記バイパス路は、前記下部貯留領域から流出される遊技媒体を前記揚送装置に導く着脱可能な通路部材であることが好ましい。
このようにすれば、前記清浄装置に故障等のトラブルが発生した場合に、前記樋を設置するだけで、前記下部貯留領域から流出される遊技媒体を容易に揚送装置に導く簡便なバイパス路の形成が可能になる。
【０００９】
本発明の遊技機設置島の前記通路は、長手方向に伸縮自在に形成されていることが好ましい。
このようにすれば、揚送装置と下部貯留領域の設置間隔や清浄装置自体の長さが種々異なる場合においても樋の長さ変更で種々対応可能となる。
【００１０】
本発明の遊技機設置島は、前記下部貯留領域から流出される遊技媒体の流路を、前記清浄装置側または前記バイパス路側のいずれかに切換える切換え手段を有していることが好ましい。
このようにすれば、予めバイパス路を設置しておくことで、切換え手段を切換えるだけで、前記下部貯留領域から流入する前記遊技媒体を前記清浄装置側から前記バイパス路側に切換えを行うことができ、前記遊技媒体をバイパス路に流入させることができる。
【００１１】
本発明の遊技機設置島は、前記清浄装置の異常を検出する異常検出手段と、
前記異常検出手段により前記清浄装置の異常が検出されたことに基づいて、前記切換え手段を前記バイパス路側に切換える切換制御を行う切換制御手段と、
を備えることが好ましい。
このようにすれば、清浄装置に異常が発生した場合に、前記切換制御手段により、自動的に前切換え手段を行うことで、迅速にバイパス路に切換えることができ、清浄装置の異常からもたらされる遊技に与える影響を最小限にできる。
【００１２】
本発明の遊技機設置島は、前記切換制御手段により前記切換え手段を前記バイパス路側に切換える切換制御が行われている状態を報知する切換報知手段を備えることが好ましい。
このようにすれば、報知手段の報知により、管理者や店員等の遊技場の関係者は、遊技機設置島内の清浄装置を確認することなく、異常が発生した旨を容易に把握することができる。
【００１３】
本発明の遊技機設置島は、前記切換制御手段により前記切換え手段を前記バイパス路側に切換える切換制御が行われているとき、前記バイパス路の遊技媒体を検出する遊技媒体検出手段と、
該遊技媒体検出手段による検出結果に基づいて、前記バイパス路を遊技媒体が流下しているか否かを認識可能に報知する報知手段と、
を備えることが好ましい。
このようにすれば、報知手段の報知により、管理者や店員等の遊技場の関係者は、遊技機設置島内の清浄装置を確認することなく、バイパス路に流下した遊技媒体が正常に揚送装置へ誘導されている旨を把握することができる。
【００１４】
【発明の実施の形態】
以下、図面に基づいて本発明の実施形態を説明すると、まず図１には、本発明の実施例としての遊技機設置島１の内部構造を示す断面図が示されており、該遊技機設置島１は、その前後面に遊技機であるパチンコ機２と、該パチンコ機２において遊技に使用するパチンコ球の貸出を実施させる球貸処理機等と、が並設される通常の遊技機設置島である。
【００１５】
遊技機設置島１の略中央上部には、遊技媒体であるパチンコ球が貯留される第３の遊技媒体貯留部としての上部タンク３が設けられており、この上部タンク３内に貯留されたパチンコ球は、遊技機設置島１内の長手方向両端部に向かってそれぞれ下方に傾斜するように配設された供給樋４に流入するようになっている。
【００１６】
これら供給樋４には、流下するパチンコ球を各パチンコ機２に供給するための支流樋５が、供給樋４における図中前後側の側板に、流下方向に向かって所定間隔おきに複数配設されており、これら支流樋５に供給されたパチンコ球は、各パチンコ機２の背面に設けられた球タンク６に供給されるようになっている。
【００１７】
供給樋４の下流側端部には、例えばメンテナンス時等において供給樋４内のパチンコ球を後述する下部樋１０内に流出させる球抜き管７が設けられている。なお、通常時においてはこの球抜き管７内をパチンコ球が流下しないようになっている。
【００１８】
遊技機設置島１内の下部には、パチンコ機２より排出されたアウト球を一時貯留するアウト球タンク８が、パチンコ機２を載置する繕板１３の上面に、各パチンコ機２に対応するように複数設けられている。
【００１９】
また、上部タンク３内部に貯留されるパチンコ球が所定量以上となってオーバーフローしたパチンコ球を、遊技機設置島１の下部に設けられている第１の遊技媒体貯留部としての下部タンク９Ｒ、９Ｌに導くオーバーフロー樋１２及びオーバーフロー管１８が配設されている。
【００２０】
繕板１３の下方には、パチンコ球を貯留する下部タンク９Ｒ、９Ｌがそれぞれ設けられている。下部タンク９Ｒ、９Ｌ内には、図１〜図３に示されるように、球抜き管７及びオーバーフロー管１８から排出されるパチンコ球が流入する下部樋１０Ｒ、１０Ｌが、それぞれ遊技機設置島１における長手方向中央に向かって下方に傾斜するように配設されている。下部樋１０Ｒ、１０Ｌ内を流下するパチンコ球は、流下方向に向かって左右側の側板に複数形成された開口１１（図２参照）、及びその底板における下流側端部所定箇所に形成された開口１４Ｒ、１４Ｌ（図３参照）を介して、下部タンク９Ｒ、９Ｌ内にパチンコ球がほぼ均等に貯留されるように落下される。
【００２１】
このように、下部タンク９Ｒ、９Ｌの内部に貯留するパチンコ球を誘導する下部樋１０Ｒ、１０Ｌは、遊技機設置島１における長手方向中央に配設された揚送装置２５に向かって下方に傾斜するように配設されているとともに、下部タンク９Ｒ、９Ｌの内部にパチンコ球を落下させる開口１１が下部樋１０Ｒ、１０Ｌの左右側面の長手方向に向かって複数設けられていることで、下部タンク９Ｒ、９Ｌの内部にパチンコ球を偏りなく均等に貯留することができ、これにより下部タンク９Ｒ、９Ｌのパチンコ球の貯留能力が増大するため、遊技機に供給するパチンコ球が不足するなどの事態の発生を効果的に回避することが出来る。
【００２２】
図１中において、向かって左側の遊技機設置島１の島端には、遊技者が獲得したパチンコ球を計数するための計数装置１５が配設されており、この計数装置１５内に投入されたパチンコ球は、計数装置１５に設けられている球投入口１５ａから連設された排出路１６を介して下部樋１０Ｌに流入し、下部タンク９Ｌ内に排出されて貯留される。
【００２３】
下部タンク９Ｒ、９Ｌ内における下部樋１０Ｒ、１０Ｌの流下方向に向かって左右側には、図２、図３に示されるように、各アウト球タンク８から排出されるパチンコ球を回収する側部樋１７Ｒ、１７Ｌが並設されている。
【００２４】
各下部タンク９Ｒ、９Ｌと揚送装置２５との間には、図１〜図４に示されるように、上面が開口する有底箱状をなすとともに、底面が遊技機設置島１の中央方向に向かって下方に傾斜する、貯留タンク２００Ｒ、２００Ｌが設けられている。
【００２５】
側部樋１７Ｒ、１７Ｌの下流側端部は、前記貯留タンク２００Ｒ、２００Ｌ内まで延設されていて、側部樋１７Ｒ、１７Ｌ内に回収されたパチンコ球は、下部タンク９Ｒ、９Ｌ内に貯留されることなく、直接貯留タンク２００Ｒ、２００Ｌ内に自然流下するようになっている。なお、側部樋１７Ｒ、１７Ｌからパチンコ球が溢れたときには下部樋１０Ｒ、１０Ｌを介して下部タンク９Ｒ、９Ｌ内に貯留される。
【００２６】
ここで、図１中の遊技機設置島１における揚送装置２５の左側下部の内部構成及び配置された各部位の構造を説明すると、貯留タンク２００Ｌの下流側側板には、後述する遊技媒体清浄装置としての清浄装置５０側へパチンコ球を誘導する中継樋２４Ｌが接続されている。
【００２７】
この中継樋２４Ｌの清浄装置５０側の側端部には、後述するようにパチンコ球を清浄装置５０へ誘導する回動樋２２Ｌの一方端が前記側端部の左右２箇所でビス８６によって軸支されており、ビス８６止めされていない清浄装置５０側の他方端が上方に跳ね上がるように回動可能に取付けられている（図５参照）。
【００２８】
下部タンク９Ｌの揚送装置２５側には、下部タンク９Ｌに貯留されているパチンコ球を貯留タンク２００Ｌに揚送する第２の揚送装置としてのミニリフト２１０Ｌが、前後の側部樋１７Ｌ、１７Ｌに挟まれるようにして設けられているとともに、ミニリフト２１０Ｌのさらに揚送装置２５側には、ミニリフト２１０Ｌから揚送されたパチンコ球を一時的に貯留する第２の遊技媒体貯留部としての揚送タンク２００ａＬが設けられている。
【００２９】
ミニリフト２１０Ｌが駆動されることにより、下部タンク９Ｌにおけるミニリフト２１０側の側板下部に形成された流出口３００Ｌから流出される下部タンク９Ｌ内のパチンコ球を揚送して、装置の上部に設けられている。排出口２３８（図４参照）から揚送タンク２００ａＬに排出し、その後に貯留タンク２００Ｌ内に流下するとともに、非駆動状態においては下部タンク９Ｌ内のパチンコ球を揚送して貯留タンク２００Ｌに排出することはないので、ミニリフト２１０Ｌは下部タンク９Ｌからのパチンコ球の排出量を調節する役割を果たしている。
【００３０】
揚送タンク２００ａＬは、上流側の側板がミニリフト２１０Ｌと密着するようにして設けられているとともに、前後の側板には、揚送タンク２００ａＬ内のパチンコ球を貯留タンク２００Ｌ内に流出させるための通孔２０１が設けられている。これにより、下部タンク９Ｌからミニリフト２１０Ｌにより揚送されたパチンコ球は揚送タンク２００ａＬへ排出され、通孔２０１を通過して貯留タンク２００Ｌ内に流出した後（図４参照）、貯留タンク２００Ｌの底壁に設けられたガイド板２１１により下流側の側板に形成された連通口２３Ｌに向けて案内され、連通口２３Ｌから流出して中継樋２４Ｌから回動樋２２Ｌを経由して、後述する清浄装置５０の上部に取付けられた案内樋２８Ｌへ流出されるようになっており、案内樋２８Ｌに流出したパチンコ球は清浄装置５０内に案内される。
【００３１】
後述する清浄装置５０の清浄能力を超える量のパチンコ球が清浄装置５０に向けて流出され、清浄装置５０内にパチンコ球が流入しきれなくなった場合、案内樋２８Ｌ、回動樋２２Ｌ、中継樋２４Ｌ、貯留タンク２００Ｌ内に滞留することになる。その状態でミニリフト２１０Ｌが駆動してパチンコ球が揚送タンク２００ａＬ内に排出されると、通孔２０１から揚送タンク２００ａＬ内へパチンコ球が流出することはないので、揚送タンク２００ａＬ内にパチンコ球が貯留されていく。
【００３２】
揚送タンク２００ａＬ内には、第２の遊技媒体検出手段としての揚送タンク満タン検出センサ２０２Ｌ、及び揚送タンク空検出センサ２０３Ｌが設けられており、揚送タンク２００ａＬ内にパチンコ球が揚送タンク満タン検出センサ２０２Ｌの位置まで貯留されるとミニリフト２１０Ｌの揚送が停止されるようになっている。また、パチンコ球の量が揚送タンク空検出センサ２０３Ｌに接触しない位置まで低減した場合には、ミニリフト２１０Ｌが駆動して下部タンク９Ｌからのパチンコ球の揚送を開始するようになっている。
【００３３】
以上、遊技機設置島１内部における揚送装置２５の図中左側に配設された貯留タンク２００Ｌ、ミニリフト２１０Ｌ、揚送タンク２００ａＬの構造及び構成について説明してきたが、遊技機設置島１内部における揚送装置２５の図中右側に配設された貯留タンク２００Ｒ、ミニリフト２１０Ｒ、揚送タンク２００ａＲの構造は、前記貯留タンク２００Ｌ、ミニリフト２１０Ｌ、揚送タンク２００ａＬと同様のため、詳細な説明は省略するものとする。
【００３４】
但し、貯留タンク２００Ｒと揚送装置２５との間には、後述する清浄装置５０が配設されている点が、遊技機設置島１内部における揚送装置２５の図中左側の配置構成とは異なっているが、下部タンク９Ｒ、９Ｌからミニリフト２１０Ｒ、２１０Ｌにより揚送された後、揚送タンク２００ａＲ、２００ａＬ、貯留タンク２００Ｒ、２００Ｌ及び中継樋２４Ｌ、２４Ｒ、回動樋２２Ｌ、２２Ｒ、案内樋２８Ｌ、２８Ｒを通って清浄装置５０に流入するという点で、パチンコ球の流下経路は同一の構成であると言える。
【００３５】
次に図１、図３に示される本実施例に適用された揚送装置２５の構成を簡単に説明する。この揚送装置２５の外形を構成する上下方向に延びる縦長の箱体３０内には、上部に駆動歯車３１が回動自在に設けられているとともに、下部に従動回転体３２が回動自在に設けられており、これら駆動歯車３１と従動回転体３２には、所定量のパチンコ球を収容可能なバケット（図示略）が、リベット（図示略）を介して外面に複数取り付けられた無端状のタイミングベルト３４が掛け渡されている。
【００３６】
このように構成された揚送装置２５は、駆動モータ（図示略）が駆動して駆動歯車３１が回転することにより、その回転力がタイミングベルト３４に伝達され、このタイミングベルト３４が回転し、箱体３０の下部に形成されるパチンコ球の流入口３７から流入するパチンコ球が回転してきた空のバケット（図示略）内に所定量ずつ収容されて揚送され、箱体３０の上部に形成される排出口３８から（上部タンク３内）に排出される。
【００３７】
また、揚送装置２５によって、後述する清浄装置５０により清浄されたパチンコ球を遊技機設置島１の上部の上部タンク３まで揚送する場合、清浄されたパチンコ球は前記バケット（図示略）内に収容された状態で揚送されるので、例えばスクリューコンベア式やスプロケット式等の他の揚送装置のように、揚送されるパチンコ球が揚送中に他の部材等に接触することがない。よって、清浄されたパチンコ球を汚すことなく、また、接触により帯電させることなく揚送出来る。
【００３８】
なお、本実施例においては、上記のような理由からこのようなバケット式の揚送装置２５を適用しているが、本発明はこれに限定されるものではなく、従来公知のスクリュー部材を使用してパチンコ球の揚送を行うスクリュー式の揚送装置やベルト部材で揚送を行うベルト式の揚送装置等を用いても良い。
【００３９】
また、本実施例では、揚送装置２５と清浄装置５０が別体に設けられ、清浄装置５０にて清浄されたパチンコ球が揚送装置２５により上部タンク３に揚送される構成になっているが、本発明の遊技機設置島にあっては、揚送装置とは別体に設けられた清浄装置にて清浄されたパチンコ球が揚送装置２５にて揚送されるように構成されていれば、揚送装置の構成は特に限定されるものではなく、例えば従来公知のように、パチンコ球を揚送しながら研磨を行う揚送研磨装置等を適用することで、前記清浄装置５０により清浄されたパチンコ球をさらに清浄するようにしてもよい。
【００４０】
また、図１に示すように、前記下部タンク９Ｒ、９Ｌの下端側に設けられているミニリフト２１０Ｒ、２１０Ｌは、長さや幅等の規模は異なるものの、上記揚送装置２５とほぼ同様に構成されているため、ここでの詳細な説明は省略するものとする。
【００４１】
また、図４に示されるように、前記ミニリフト２１０Ｒ、２１０Ｌの排出口２３８から排出されたパチンコ球を貯留する第２の遊技媒体貯留部としての揚送タンク２００ａＲ、２００ａＬが、第２の揚送装置としてのミニリフト２１０Ｒ、２１０Ｌの第１の排出口２３８と前記清浄装置５０の案内樋２８Ｒ、２８Ｌとの間に配設されるとともに、清浄装置５０へパチンコ球を流出させる第２の排出口としての通孔２０１を有することで、ミニリフト２１０Ｒ、２１０Ｌによるパチンコ球の揚送状態に影響されることなく、清浄装置５０に安定的にパチンコ球が供給されるようになる。
【００４２】
そして、前記中継樋２４Ｒ、２４Ｌから回動樋２２Ｒ、２２Ｌを経由して、前記案内樋２８Ｒ、２８Ｌ（図３参照）内に流入したパチンコ球は、そのまま自然流下により後述する遊技媒体清浄装置としての清浄装置５０内に流入して清浄された後に排出樋２６から流出し、遊技機設置島１内の略中央部に設けられた揚送装置２５を介して揚送され、再び上部タンク３内に貯留される。このようにして遊技機設置島１内のパチンコ球は循環するようになっている。
【００４３】
このように、遊技機設置島１内に配設される供給樋４、支流樋５、下部樋１０Ｒ、１０Ｌ、オーバーフロー樋１２、オーバーフロー管１８、側部樋１７Ｒ、１７Ｌ、貯留タンク２００Ｒ、２００Ｌ、中継樋２４Ｒ、２４Ｌ、回動樋２２Ｒ、２２Ｌ、案内樋２８Ｒ、２８Ｌ、排出樋２６等により、パチンコ球が少なくとも下部タンク９Ｒ、９Ｌと、後述する清浄装置５０と、揚送装置２５とを介して遊技機設置島１内の循環経路を循環するように構成されている。
【００４４】
また、遊技機設置島１内には、揚送装置２５及びミニリフト２１０Ｒ、２１０Ｌを制御する揚送装置制御手段としての制御装置（図示略）が設けられている。この制御装置（図示略）には、揚送装置２５、ミニリフト２１０Ｌ、２１０Ｒが接続されているとともに、前記上部タンク３、下部タンク９Ｒ、９Ｌ、揚送タンク２００ａＲ、２００ａＬ内に設けられた各種のセンサが接続されており、各種センサからの検出状況に基づいてパチンコ球の貯留状況を把握し、これに基づいて揚送装置２５やミニリフト２１０Ｌ、２１０Ｒの駆動制御を行うようになっている。
【００４５】
前記制御装置（図示略）には、各タンク内におけるパチンコ球の貯留状況に応じて前述したミニリフト２１０Ｒ、２１０Ｌや揚送装置２５の駆動を制御してパチンコ球を揚送し、循環させるようになっているとともに、通信ユニットを介してホールコンピュータなどの管理装置等に接続されるようになっていて、例えば、揚送装置２５やミニリフト２１０Ｒ、２１０Ｌ等が停止した場合に停止した旨を前記管理装置等に送信するようになっている。
【００４６】
また、側部樋１７Ｒ、１７Ｌに回収されるパチンコ球が下部タンク９Ｒ、９Ｌ内に貯留されているパチンコ球よりも優先して清浄装置５０内に流入して清浄された後に揚送装置２５により揚送されるようになっている。すなわち、パチンコ機２にて遊技に使用されて排出されたパチンコ球が優先的に清浄、揚送されるのである。そして、上部タンク３内におけるパチンコ球の貯留量が少なくなった場合等においてミニリフト２１０Ｒ、２１０Ｌ等を駆動してパチンコ球が貯留されている下部タンク９Ｒ、９Ｌからパチンコ球を上部タンク３内に揚送する。
【００４７】
なお、本実施例における遊技機設置島１は、上部タンク３や下部タンク９Ｒ、９Ｌ内部に貯留されたパチンコ球のみを制御により循環して使用するいわゆる独立式の遊技機設置島であるが、例えば遊技場内に並設される他の遊技機設置島と上部タンク同士を適宜連結樋等により連結して、他の遊技機設置島間でパチンコ球の貯留量の調整を行えるようにしても良い。また、遊技者が獲得したパチンコ球を計数する計数装置が各パチンコ機２に対応して設けられ、各遊技機設置島内においてパチンコ球を循環使用することが可能に構成されたユニット式の遊技機設置島であってもよい。
【００４８】
次に、図５〜図９に基づいて、本発明実施例としての遊技媒体（パチンコ球）を清浄する清浄装置としての清浄装置５０の構成及び作用を説明する。
【００４９】
まず、清浄装置５０の本体を構成する基体５１と、この基体５１の上方に揺動自在に設けられている。揺動板５２上に流入するパチンコ球を清浄する清浄部材としてのシート部材Ｓを収納するための収納ユニット５３と、から主に構成されている。
【００５０】
基体５１は、上面と一側面が開口する箱状に構成されており、互いに対向する側板５４、５４の長手方向両端側上部間には、２本のガイドレール５５、５５が架設されており、このガイドレール５５、５５上には、後述する枠体５６が載置されているとともに、この枠体５６の上方には前述した案内樋２８Ｒ、２８Ｌが設けられている。
【００５１】
この案内樋２８Ｒ、２８Ｌには、前述の回動樋２２Ｌ、２２Ｒの他方端が載置されており、前記貯留タンク２００Ｒ、２００Ｌに接続された中継樋２４Ｌ、２４Ｒからのパチンコ球が流下される。また、図５中における清浄装置５０の背面上方側には、前述した排出樋２６が設けられている。前記回動樋２２Ｌ、２２Ｒの一方端は、中継樋２４Ｌ、２４Ｒの左右側端部がそれぞれビス８６によって回動可能に軸支されており、他方端を持ち上げることにより上方に跳ね上げられるようになっている。
【００５２】
案内樋２８Ｒと案内樋２８Ｌとの側壁端部間に形成される隙間には、仕切板８５が取外し可能に嵌め込まれており（図７参照）、前記中継樋２４Ｌと中継樋２４Ｒのそれぞれから誘導されるパチンコ球が互いに衝突して、落下口１２７に落下しにくくなることを防ぐようになっていて、パチンコ球を円滑に落下口１２７に落下させることができる。
【００５３】
また、これら案内樋２８Ｌ、２８Ｒ上には、前記清浄装置５０に故障等の何らかトラブルが発生した場合に、清浄装置５０に流下するパチンコ球を清浄領域Ｚを迂回させて揚送装置２５に流下させるためのバイパス樋２１２（図１０参照）を着脱出来るようになっている。
【００５４】
バイパス樋２１２は、図１０に示されるように清浄装置５０に取付けられた上向きに開口する案内樋２８Ｒ、２８Ｌ上に載置出来るように、金属板を案内樋２８Ｒ、２８Ｌのパチンコ球が流下する通路の横幅に合わせて折り曲げ加工された底板部２１３と、該底板部２１３の端部に連設されるとともに、球誘導領域Ｙ上に載置出来るように底板部２１３に対して凹設された球誘導部２１４と、から構成されている。
【００５５】
なお、球誘導領域Ｙは、例えば揚送装置２５の故障等により排出樋２６において球詰まりが発生したとき等において、排出部１２８からのパチンコ球の排出に支障をきたすまでに少しでも時間を稼ぐために、パチンコ球を滞留可能なスペースとして幅広に形成されている。
【００５６】
球誘導部２１４の側壁の一部からはパチンコ球を排出樋２６方向に案内するための案内舌片２１５が延出されており、前記底板部２１３には流入してくるパチンコ球を受け入れる球流入部２１６と、前記球誘導部２１４には球流入部２１６からのパチンコ球を流出させるための玉流出部２１７と、が形成されている。
【００５７】
このバイパス樋２１２は、案内樋２８Ｌ、２８Ｒ上への取付時において、パチンコ球の流路となる底面が案内樋２８Ｒ側から案内樋２８Ｌ側に向けて下方に傾斜するように取付けられる。なお、このバイパス樋２１２の取付方法等の詳細は後述することとする。
【００５８】
図５に戻って、基体５１の内部には、前記収納ユニット５３が、基体５１の側部から前方に引き出し自在に収容されている。また、図６に示されるように底板５８の上面略中央位置には、揺動板５２を揺動させる揺動手段を構成する揺動モータ５９が、その回転軸６０（駆動軸）が鉛直上方を向くように固定部材６１を介して取り付けられている。なお、固定部材６１と底板５８との間には、防振ゴム６２が設けられており、この防振ゴム６２は揺動モータ５９の振動が基体５１へ伝達されることを抑制するようになっている。
【００５９】
回転軸６０の上端には、内部に上下方向を向く貫通路６３が形成された円柱形の偏心軸部材６４が、この貫通路６３内に回転軸６０を嵌挿した状態で、偏心軸部材６４の外周面所定箇所に形成されたネジ孔（図示略）より固定ネジ（図示略）を螺入することにより、回転軸６０に対して相対回転不能に取り付けられている。この貫通路６３は、偏心軸部材６４の中央軸心に対して偏心した位置に形成されているため、偏心軸部材６４の軸心は回転軸６０の軸心に対して偏心することになり、回転軸６０の回転により偏心軸部材６４が偏心回転するようになっている。
【００６０】
回転軸６０における偏心軸部材６４の下方には、ディスク部材６５ａが溶接により一体的に固着されているとともに、このディスク部材６５ａの上面における偏心軸部材６４の偏心方向の反対側所定箇所には、ウェイト部材６５ｂが取り付けられ、これらディスク部材６５ａとウェイト部材６５ｂとによりバランスウェイト６５が構成されており、このバランスウェイト６５により偏心軸部材６４の偏心回転時におけるバランスが保持されるようになっている。
【００６１】
このウェイト部材６５ｂは、特に図示しないがディスク部材６５ａに対してネジ（図示略）により着脱自在に取り付けられているとともに、ディスク部材６５ａにはこのネジのネジ孔（図示略）が複数形成されているため、揺動板５２の揺動時における偏心バランスにずれが生じた場合にウェイト部材６５ｂの取付位置を適宜替えることにより、偏心バランスを調整出来るようになっている。よって、組み付ける揺動板５２の成形精度等が製品ごとに異なっていても、揺動板５２の組み付け後においても偏心バランスを容易に調整出来る。
【００６２】
また、偏心軸部材６４の周面には、自動調心機能を備えるベアリング６６（軸受）が環装されているとともに、このベアリング６６の外周には、揺動板５２の裏面略中央位置にネジ固定される取付リング６７が嵌合されている。このベアリング６６は、特に図８に示されるように、外輪６６ａと、偏心軸部材６４の上端に環装される内輪６６ｂと、転動体としての複数の球６６ｃと、この球６６ｃを２列状に整列させた状態で内輪に保持する保持器６６ｄと、から構成される、いわゆる球軸受である。外輪６６ａにおける軌道面は、ベアリング６６の中心点を中心とした球面状に形成されていることにより、球６６ｃ、保持器６６ｄ、内輪６６ｂが外輪６６ａの軸心に対してある程度傾いた状態でも円滑に回動させる傾動許容機構が構成されているため、このベアリング６６は自動調心性を有している。
【００６３】
平面視矩形状に形成された揺動板５２の裏面四隅には、図６に示されるように、下端が底板５８の上面四隅に固着された回転規制部材６８の上端が固着されており、この回転規制部材６８により、調心機能を備えるベアリング６６を介して偏心軸部材６４に回転自在に枢着されている揺動板５２が水平状態に保持されるとともに、偏心軸部材６４の回転に追従して揺動板５２が水平方向に回転しようとする運動を牽制するようになっている。
【００６４】
回転規制部材６８は、揺動板５２及び底板５８に取り付けるための上下の取付板６９、６９’と、取付板６９、６９’にそれぞれ固着される硬質ウレタン等の合成樹脂材からなる変形部材７０、７０’と、上下の変形部材７０、７０’間を連結する棒状の金属材からなる連結棒７１と、からそれぞれ構成されており、揺動板５２の揺動時において上下の変形部材７０、７０’及び連結棒７１が変形することにより揺動板５２の所定範囲内の揺動を許容するとともに、弾性復帰力によって、偏心軸部材６４の回転に追従して揺動板５２が水平方向に回転しようとする運動を牽制する。さらに、この回転規制部材６８を介して揺動板５２と底板５８とが連結されていることになるため、偏心回転時における揺動板５２端部側の上下方向のあばれが抑制され、揺動時におけるパチンコ球の飛び跳ね等が効果的に抑制される。
【００６５】
このように揺動板５２は、回転軸６０の先端に固着された偏心軸部材６４に対して、自動調心性を有するベアリング６６を介して相対回動自在に枢着されているため、ベアリング６６による調心作用により、揺動板５２に固着された取付リング６７に固着される外輪６６ａに対する偏心軸部材６４に嵌合される内輪６６ｂの傾動、すなわち、外輪６６ａの軸心に対して内輪６６ｂが傾いた状態でも円滑に回動する。
【００６６】
よって、偏心軸部材６４に対する揺動板５２の取付け精度や、揺動板５２上にパチンコ球が偏って滞留する等、何らかの要因により、揺動板５２のいずれかの端部側が傾くなどして水平バランスが崩れることにより、外輪６６ａが内輪６６ｂの軸心に対して傾いた状態となって軸心に狂いが生じた場合や、逆に、揺動板５２が水平に敷設された状態において、偏心軸部材６４の加工誤差等により偏心軸部材６４の軸心が回転軸６０の軸心に対して傾いてしまったり、あるいは回転軸６０が外輪６６ａの軸心に対して傾いた状態で揺動モータ５９が固設されること等によって軸心に狂いが生じた場合等にあっても、回転軸６０やベアリング６６に無理な負荷がかかることがないので、揺動時において回転軸６０やベアリング６６から異音が発生すること等がない。また、回転軸６０やベアリング６６に無理な負荷が加わった状態での揺動が長期的に実行されること等により、回転軸６０やベアリング６６が破損して揺動板５２が揺動しなくなるといった事態が回避されるので、揺動板５２の揺動が安定的に行われる。
【００６７】
また、このように本実施例における揺動板５２は、該揺動板５２の下方に配置した揺動モータ５９の回転軸６０に固着された偏心軸部材６４に対して回動自在に枢着され、回転軸６０の回転により水平方向に偏心回動するように設けられているため、複雑な機構等を用いることなく、揺動板５２を簡単な構造で水平方向に揺動させることが出来る。
【００６８】
揺動板５２の上面全域には、ゴムシート７２が貼着されており、パチンコ球の清浄時における振動や、パチンコ球との衝突による騒音等が吸収されるようになっているとともに、揺動板５２の揺動時における上面に敷設されるシート部材Ｓとの滑りが防止されている。そしてこのゴムシート７２の上面には、案内樋２８Ｒ、２８Ｌから流入するパチンコ球の表面に付着された汚れを除去する清浄部材としての布製のシート部材Ｓが敷設される。
【００６９】
このシート部材Ｓは、図７に示されるように、収納ユニット５３内にロール状に収納された新規なシート部材Ｓが、収納ユニット５３内に設けられている。巻取り手段としての巻取りモータ１０４により適宜揺動板５２上に引き出されて敷設され、使用後は適宜巻取られるようになっている。このシート部材Ｓの材質は、ここでは柔軟性を有するコットン１００％の不織布が使用されている。ここでは、摩耗性に優れるとともに、帯電しにくく、かつ、低発塵性を有する不織布が使用されているため、シートが破損しにくいばかりか、パチンコ球との摺接による静電気の発生が防止されるとともに、パチンコ球との摺接や後述する巻取り時における発塵が少ないため、周囲の各装置内への粉塵の進入が防止される。また、本実施例におけるシート部材Ｓの裏面は、揺動板５２の揺動時における揺動板５２への追従作用を損なわない程度の滑動性を有するナイロン樹脂によりコーティングされており、巻取時におけるシート部材Ｓの破損や後述する巻取モータの巻取時にかかる負荷が軽減されるようになっている。
【００７０】
なお、清浄部材としてのシート部材Ｓは、パチンコ球の表面に付着された汚れを除去し得るものであれば材質は上記のような布製の不織布に限定されるものではなく、例えば織布や、紙等の他の素材からなるシート部材を使用することも可能である。
【００７１】
このように、揺動板５２上にシート部材Ｓが敷設されることで、後述するように揺動板５２が水平方向に高速で偏心回転することにより、シート部材Ｓ上のパチンコ球が自転してその表面がシート部材Ｓに擦りつけられて清浄されることになる。なお、清浄作用の詳細に関しては後述することとする。
【００７２】
ガイドレール５５、５５の上部に載置される枠体５６は、基体５１に対して上方に開放可能に枢着されており、揺動板５２上に流入したパチンコ球が清浄される清浄領域Ｚ（図９参照）を構成するガイド部材７３が設けられているとともに、上部には、前記案内樋２４Ｌ、２４Ｒに連通し、流下するパチンコ球を前記清浄領域Ｚの略中央部に案内する案内樋２８Ｌ、２８Ｒが設けられている。
【００７３】
また、揺動板５２上に流入されたパチンコ球の揺動時における飛びはねを規制するとともに、自重によりパチンコ球を揺動板５２の上面に敷設されるシート部材Ｓに向けて付勢する付勢部材としての蓋部材７９が、枠体５６に形成された内向きに屈曲する略Ｌ字状の保持片７８により保持されている。
【００７４】
本実施例における付勢手段としての蓋部材７９は、特に図６に示されるように、透明で軟質性を有する塩化ビニル樹脂からなる軟性部材としての薄肉の透明シート１５１と、この透明シート１５１をシート状に保持するための保持部材としてのアルミ製の保持板１５２と、から構成されている。保持板１５２の略中央部には、遊技媒体案内路としての案内樋２８Ｒ、２８Ｌの排出部としての落下口１２７（図８参照）から落下するパチンコ球を、揺動板５２上面と透明シート１５１の下面との間に流入させるための流入口８０を構成するための図示しない開口部が形成されているとともに、該開口部の周囲には、揺動板５２上面とこの蓋部材７９下面との間に流入したパチンコ球の清浄状況を、保持板１５２の上方から視認するための透視窓部を構成する開口部１５４（図５参照）が複数形成されている。また、透明シート１５１の下面における開口部１５７の近傍には、揺動板５２における回転軸６０の近傍位置にパチンコ球が停留するのを防止するための円柱形の停留防止部材１５８が取り付けられている。
【００７５】
透明シート１５１の下面には、揺動板５２上におけるパチンコ球に当接して揺動板５２上からのパチンコ球の落下を防止するとともに、パチンコ球の清浄領域Ｚを揺動板５２上に形成するガイド部材７３が固定手段としてのネジ（図示略）を介して蓋部材７９に一体的に取り付けられている。
【００７６】
ガイド部材７３は、耐疲労性が高く、かつ、自己潤滑性に富み、低摩擦係数、低摩耗性を有するポリアセタール樹脂からなり、その内周縁、すなわち、パチンコ球との接触面は、図９に示されるように、平面視で略円弧状をなす第１ガイド辺としての円弧状ガイド辺７３ａと、円弧状ガイド辺７３ａの所定箇所から、パチンコ球の流出部１２８方向に向けて直線状に延びるように形成される第２ガイド辺としての直線状ガイド辺７３ｂと、からなるパチンコ球のガイド辺として形成されている。
【００７７】
また、円弧状ガイド辺７３ａの端部と直線状ガイド辺７３ｂとの間はパチンコ球の流出部１２８を形成すべく所定距離離間されており、この円弧状ガイド辺７３ａの端部には、ガイド辺の一部を構成するとともに、流出部１２８からのパチンコ球の流出量を調節するための流出幅調節部材であるポリアセタール樹脂からなるスライド部材１６０が流出部１２８に対して出退（動作）自在に設けられている。なお、スライド部材１６０のスライド移動は止めネジ１６２により所望の位置で移動不能に固定出来るようになっている。
【００７８】
このように蓋部材７９を取り付けた枠体５６は、図６に示されるように、断面略Ｌ字状のガイドレール５５、５５の上面にそれぞれ載置するように基体５１の上部に設けられている。この状態で蓋部材７９は、その両端辺部が保持片７８の上面に載置され、その透明シート１５１の下面が揺動板５２の上面のゴムシート７２の上面からパチンコ球の直径よりも若干小寸の距離分だけ離間した高さ位置に保持されることになる。そして、透明シート１５１の下面とゴムシート７２の上面との間にパチンコ球が流入されると、流入したパチンコ球により蓋部材７９が若干上昇することになる。
【００７９】
蓋部材７９は、揺動板５２よりも若干大きめの板状に形成されているとともに、主に透明シート１５１と、該透明シート１５１をシート状に保持するアルミ製の保持板１５２とからなり、主にこの保持板１５２が所定重量を有しているため、この自重により揺動板５２上のパチンコ球が揺動板５２の上面に敷設されるシート部材Ｓに向けて付勢されることになり、これにより揺動板５２の偏心回転時においてパチンコ球が上方に飛び跳ねてシート部材Ｓから離れるのが防止されるため、パチンコ球とシート部材Ｓとの摺接作用が高まることになる。
【００８０】
また、蓋部材７９の上昇範囲は突出片８２により規制されるとともに、パチンコ球との当接面が軟質性を有する透明シート１５１の下面であるため、揺動板５２が揺動しても蓋部材７９が上下方向に大きくがたつくことがないので、パチンコ球はシート部材Ｓに向けて効果的に付勢される。
【００８１】
さらに、揺動板５２上に流入したパチンコ球は、揺動板５２が水平方向に揺動しても、その周囲に設けられている。ガイド部材７３及びスライド部材１６０にガイドされ、流出部１２８以外の箇所からの揺動板５２からの逸脱が防止されるため、これらガイド部材７３及びスライド部材１６０によって清浄領域Ｚが形成される。
【００８２】
また、ガイド部材７３及びスライド部材１６０は、揺動板５２の揺動に追従しない蓋部材７９に設けられているため、揺動板５２の揺動や、後述するようなシート部材Ｓの引出しにより、敷設されたシート部材Ｓが捩れたりめくれるなどして揺動板５２上面が露出することがないため、ガイド部材７３の近傍に位置するパチンコ球が清浄されなくなることがなく、揺動板５２上の全てのパチンコ球を偏りなく清浄出来るばかりか、揺動板上に敷設されたシート部材Ｓにより揺動板５２の揺動が規制されることがない。
【００８３】
さらに、ガイド部材７３及びスライド部材１６０は枠体５６の開放とともに揺動板５２上から除去されるため、後述するようなシート部材Ｓの交換作業時等のメンテナンス作業をする際において揺動板５２上のパチンコ球を外部に払い出す際において、流出部１２８から流出させなくても一度に払い出すことが出来る。
【００８４】
また、蓋部材７９におけるパチンコ球との当接面は、軟質の塩化ビニル樹脂からなる透明シート１５１にて構成されているため、揺動板５２の偏心回転にともなう振動によりパチンコ球と衝突することがあっても、衝突による衝撃が透明シート１５１により吸収されるため、清浄領域Ｚ内にある複数のパチンコ球との衝突音の発生が効果的に抑制され、清浄装置５０の駆動時における騒音の発生が防止される。
【００８５】
なお、本実施例におけるパチンコ球の付勢手段としての蓋部材７９にあっては、パチンコ球との接触面が軟質性を有する塩化ビニル樹脂製の透明シート１５１にて構成されていたが、本発明はこれに限定されるものではなく、蓋部材７９におけるパチンコ球との当接面は、パチンコ球を付勢出来るとともに、パチンコ球との衝突による衝撃を吸収しうる素材にて構成されていれば、上記塩化ビニル樹脂に限定されるものではなく、例えばゴム等の軟質性を有する他の素材にて構成されていてもよい。
【００８６】
このように、揺動板５２上を覆うように付勢部材としての蓋部材７９が設けられても、流入口８０が形成されていることにより、蓋部材７９の上方に設けられている。案内樋２８Ｒ、２８Ｌの排出口１２７から落下するパチンコ球を清浄領域Ｚ内に流入させることが出来る。また、蓋部材７９は、揺動板５２上面の少なくとも一部を開放出来るように設けられているとともに、この蓋部材７９と案内樋２８Ｒ、２８Ｌとは、枠体５６を介して互いに一体的に設けられており、さらにこの枠体５６は、基体５１に対して取り外し自在に設けられているため、後述するシート部材Ｓの交換や装置のメンテナンス等の作業性が効果的に向上するばかりか、排出口１２７と流入口８０との配置関係を変えることなく、基体５１に対して取付けたり取り外したりすることが出来るため、作業性が向上する。
【００８７】
また、収納されたシート部材Ｓを収納する収納ユニット５３は、基体５１の側方に引出し自在設けられていることにより、使用済みのシート部材Ｓの取り出し、及び新規なシート部材Ｓの補給作業を容易に行えるばかりか、図１のように遊技機設置島１内に設置した際、装置全体を移動することなく、収納ユニット５３のみを遊技機設置島１の外方に引出して交換作業等を行えるため、作業性が向上する。
【００８８】
シート部材Ｓは、図７に示されるように、揺動板５２の上面に敷設され、清浄装置５０の揺動板５２を水平回動させる揺動手段としての揺動モータ５９の総駆動時間に応じて引出し手段としての巻取モータ１０４が適宜駆動し、新規なシート部材Ｓが揺動板５２上に引き出されるようになっているため、汚れた状態で清浄が続けられている。ことはない。また、補給されたシート部材Ｓの残量が所定量以下になった場合には、適宜交換信号が外部に出力されて交換の報知が行われるようになっているため、この報知に応じて新規なシート部材Ｓを補給できるようになっている。
【００８９】
また、本実施例の清浄装置５０においては、図１及び図８中において向かって左右側の少なくともいずれか一方の中継樋２４Ｌ、２４Ｒ、回動樋２２Ｌ、２２Ｒ、案内樋２８Ｒ、２８Ｌを流下してきたパチンコ球が、図９に示されるように流入口８０を介して揺動板５２の上部に次々に流入し、少なくともいずれか一方の案内樋２８Ｒ、２８Ｌ、回動樋２２Ｌ、２２Ｒ、中継樋２４Ｌ、２４Ｒ内にパチンコ球が滞留した状態が検出センサ１２０または１２１により検出されると、揺動モータ５９が駆動してパチンコ球の清浄が実施されるように制御されているため、揺動板５２上にパチンコ球が流入していないにも関わらず揺動モータ５９が無駄に駆動することがない。
【００９０】
また、揺動板５２上から排出されたパチンコ球を揚送装置２５に導く排出樋２６内にパチンコ球が滞留した状態が検出センサ１２２により検出されると、揺動モータ５９が駆動している場合は駆動を停止してパチンコ球の清浄の実施が停止されるように制御されているため、例えば上部タンク３内にパチンコ球が所定量以上貯留されている等の要因によりパチンコ球を揚送する必要がない場合や、あるいは何らかの故障等何らかの要因で揚送装置２５が駆動していない状態でパチンコ球の清浄を実施して球詰まりが発生した場合等において、揺動モータ５９の駆動が継続されることがないので、効率よくパチンコ球の清浄が実施される。
【００９１】
次に、清浄装置５０によるパチンコ球の清浄作用を図面に基づいて説明する。
【００９２】
下部タンク９Ｌ、９Ｒに貯留されるパチンコ球や下部樋１０Ｌ、１０Ｒを流下するパチンコ球は、貯留タンク２００Ｌ、２００Ｒを介して前記中継樋２４Ｌ、２４Ｒ、回動樋２２Ｒ、２２Ｌ、案内樋２８Ｒ、２８Ｌ内を流下し、特に図７及び図８に示されるように、落下口１２７に落下し、流入口８０を通過して揺動板５２と蓋部材７９との間に流入することになる。
【００９３】
この案内樋２８Ｒ、２８Ｌの間には、仕切板８５が取付けられているので、それぞれの案内樋２８Ｒ、２８Ｌから流下するパチンコ球が互いに衝突して、前記落下口１２７から落下しにくくなるといった状態を回避している。
【００９４】
ここで揺動モータ５９が駆動して揺動板５２が揺動すると、特に図６に示されるように、揺動板５２は、前述のように揺動モータ５９の回転軸６０に対して偏心する偏心軸部材６４の上端に固着されたベアリング６６の外輪６６ａに対して相対回転不能に固定された取付リング６７に取付けられているため、揺動モータ５９を駆動させて回転軸６０が高速回転されると偏心軸部材６４が偏心回転し、それに伴い揺動板５２が水平方向に偏心回転して揺動されることになる。
【００９５】
この揺動板５２の偏心回動に伴い、シート部材Ｓの上面に流入した各パチンコ球が自転してその表面がシート部材Ｓに対して擦り付けられている。ことになり、パチンコ球の表面に付着した汚れやゴミ等がシート部材Ｓに拭い取られて清浄されることになる。
【００９６】
特に本実施例における揺動板５２は、揺動モータ５９の駆動により偏心回動することにより水平方向に揺動するようになっていることにより、揺動板５２が揺動することにより清浄領域Ｚ内のパチンコ球が多方向に回転し、より複雑な動きをすることになるので、パチンコ球の表面全域がまんべんなくシート部材Ｓに摺接して効果的に清浄される。
【００９７】
そして平面視略細長矩形状に形成された揺動板５２の下面四隅は、回転規制部材６８を介して基体５１の底板５８に連結されているため、偏心回転に伴い偏心軸部材６４周りに回転することがないばかりか、揺動板５２の端部に生じる上下方向のあばれが抑制され、揺動板５２が円滑に、かつ安定して水平揺動されるようになっている。
【００９８】
さらに、揺動板５２上に位置するパチンコ球は、付勢部材としての蓋部材７９によりシート部材Ｓに付勢されることにより、揺動板５２の揺動時における飛び跳ね等が防止されるばかりか、シート部材Ｓに確実に擦り付けられている。ことになるので、清浄作用が効果的に高まる。
【００９９】
また、蓋部材７９により付勢されるパチンコ球によりシート部材Ｓがゴムシート７２に圧接されるため、揺動板５２の水平揺動がシート部材Ｓに効果的に伝達されて清浄作用が高まるばかりか、揺動により生じる接触音等が抑制される。
【０１００】
そして図９に示されるように、流入口８０を通過して揺動板５２と蓋部材７９との間に、清浄領域Ｚの中央部から若干外方にずれた所定箇所から流入したパチンコ球は、揺動板５２の偏心回動により自転しながら清浄されつつ、ガイド部材７３及びスライド部材１６０にて揺動板５２上に形成された清浄領域Ｚ内を、揺動モータ５９の回転軸６０の回転方向と逆方向に向けて渦巻くように外方に移動しながら清浄領域Ｚ内を周回（約２〜３周）した後、揺動作用または流入されるパチンコ球の押圧作用によって、ガイド部材７３の端部とスライド部材１６０の先端部との間に形成された流出部１２８から球誘導領域Ｙに排出されて排出樋２６に流入し、揚送装置２５の流入口３７に向けて自然流下する。
【０１０１】
このように、本実施例における清浄装置５０にあっては、揺動板５２上に形成された平面視略円形状の清浄領域Ｚの中央部から若干外方にずれた所定箇所にパチンコ球を流入させる遊技媒体案内路としての案内樋２８Ｒ、２８Ｌが設けられているとともに、清浄されたパチンコ球を揺動板５２上から流出させる流出部１２８が揺動板５２の外周部所定箇所、すなわち、清浄領域Ｚの外周部所定箇所に形成されていることにより、少なくとも清浄領域Ｚの外周部近傍位置からパチンコ球を流入させた場合に比べて、揺動板５２の偏心回動によりパチンコ球が該偏心回動方向と逆回りに渦巻くように外方に移動して揺動板５２上をより多く周回することになり、清浄領域Ｚ内に流入したパチンコ球が清浄領域Ｚ内に長く滞留することなく短時間で流出部１２８から流出してしまうことがないので、パチンコ球の清浄効果が著しく向上する。
【０１０２】
また、例えば従来公知の揚送研磨装置のように、パチンコ球を揚送させる間にパチンコ球を研磨させる場合に比べて清浄距離が短くなって清浄効果が著しく低減することがなく、パチンコ球を清浄する清浄領域Ｚを広面積に設けなくても、限られた領域内において効率よく清浄することが出来る。
【０１０３】
また、蓋部材７９におけるパチンコ球との当接面は、軟質の塩化ビニル樹脂からなる透明シート１５１にて構成されているため、揺動板５２の偏心回転にともなう振動によりパチンコ球と衝突することがあっても、衝突による衝撃が透明シート１５１により吸収されるため、清浄領域Ｚ内にある複数のパチンコ球との衝突音の発生が効果的に抑制され、清浄装置５０の駆動時における騒音の発生が防止される。よって、清浄装置５０を遊技機設置島１内に設置して使用する場合においても、蓋部材７９とパチンコ球との衝撃音の発生が防止されるため、遊技中の遊技者が衝撃音を不快に感じて遊技意欲を消失するといった問題が効果的に回避される。
【０１０４】
なお、本実施例における遊技媒体案内路は２つの案内樋２８Ｒ、２８Ｌにより構成されていたが、パチンコ球の清浄領域Ｚ内への流入効率をより高めるために２つ以上の複数の案内樋にて構成されてもよいし、また、１つの案内樋にて構成されていてもよい。
【０１０５】
また、揺動板５２上に流入したパチンコ球が所定面積の清浄領域Ｚ内で渦巻くように外方に移動しながら周回することにより清浄されるため、限られたスペース内においてパチンコ球を効率よく清浄することが出来る。
【０１０６】
また、ガイド部材７３は、パチンコ球を揺動板５２上を周回させる方向に案内する円弧状ガイド辺７３ａと、円弧状ガイド辺７３ａの所定箇所から流出部１２８に向けて直線状に延びる直線状ガイド辺７３ｂと、を有し、平面視略円形状の清浄領域Ｚを形成するため、円弧状ガイド辺７３ａにより清浄領域Ｚ内全体のパチンコ球が渦巻く方向にスムーズに移動して清浄領域Ｚ内に適宜滞留し続けるように案内されるとともに、中央部に流入された後に次第に円弧状ガイド辺７３ａ近傍に移動してきたパチンコ球は、直線状ガイド辺７３ｂに案内されて流出部１２８から流出することになるため、清浄領域Ｚ内所定箇所に滞留し続けたり、揺動板５２上を必要以上に周回し続けることを効果的に回避できる。
【０１０７】
また、清浄領域Ｚ内に流入したパチンコ球は、揺動板５２の偏心回転による遠心作用、及び流入するパチンコ球による押圧作用により流出部１２８から適宜流出するようになっているため、パチンコ球を流出部１２８に向けて強制的に排出させる排出機構等を設ける必要がない。
【０１０８】
また、本実施例の清浄装置５０は、図９に示されるように、揺動板５２からのパチンコ球の流出を規制するガイド部材７３の一部を構成するスライド部材１６０をガイド部材７３に対して伸縮させることで、スライド部材１６０の先端部とガイド部材７３との間の幅寸法（Ｌ１）、すなわち、パチンコ球の流出部１２８の流出幅を拡張したり縮小したりすることが出来るようになっているため、パチンコ球の流出部１２８からの流出量を調節することが出来る。
【０１０９】
次に、このように構成された清浄装置５０が何らかの要因で故障または停止等でパチンコ球の清浄が行えなくなり、流入してきたパチンコ球が排出樋２６に排出出来なくなった場合、すなわち、パチンコ球の循環が滞るような不具合が発生した場合において、中継樋２４Ｒから流下するパチンコ球を清浄領域Ｚを経由させずに排出樋２６側へ迂回させるためのバイパス路を前述したバイパス樋にて形成する方法を以下に説明する。
【０１１０】
ここで、図１０〜図１２に基づいて、バイパス樋２１２の取付過程説明すると、まず、図１１（ａ）に示すように、案内樋２８Ｌと２８Ｒの間に取り付けられた仕切板８５を上方に引き抜き、ビス８６によって中継樋２４Ｌ、２４Ｒに軸支された回動樋２２Ｌ、２２Ｒを上方に跳ね上げる。
【０１１１】
そして、バイパス樋２１２の球誘導部２１４側から案内樋２８Ｌ、２８Ｒの上方より球誘導領域Ｙに嵌め込みながら、上向きコ字状に開放する案内樋２８Ｌ、２８Ｒにバイパス樋２１２の底板部２１３が嵌り込むように取付位置を確認しながら取付けを行うことで、バイパス樋２１２が球誘導領域Ｙから案内樋２８Ｌ、２８Ｒにかけて、案内樋２８Ｒ側から案内樋２８Ｌ側に向けて下方に傾斜するように取付けられる。
【０１１２】
さらに、図１１（ｂ）に示すように、前記跳ね上げられた回動樋２２Ｌ、２２Ｒのうち、回動樋２２Ｒのみを下方に下げ、バイパス樋２１２に載置することで、バイパス樋２１２の取付けが完了する。
【０１１３】
このように、案内樋２８Ｌ、２８Ｒ上にバイパス樋２１２を取付けることで、前記落下口１２７がバイパス樋２１２の底板部２１３によって閉蓋され、案内樋２８Ｒから球誘導領域Ｙに向けて延びるバイパス路が形成されることになる。
【０１１４】
一方、前述したように前記回動樋２２Ｌを跳ね上げることで、パチンコ球を清浄領域Ｚに導く通路（中継樋２４Ｌ、回動樋２２Ｌ、案内樋２８Ｌ）の一部が分断され、中継樋２４Ｌからパチンコ球をバイパス樋の球誘導部２１４に落下させることができる。
【０１１５】
これら球誘導部２１４に落下したパチンコ球は、球誘導領域Ｙへ誘導され、球誘導領域Ｙから排出樋２６に流下することになる。
【０１１６】
次に、バイパス樋２１２にて構成されたバイパス路におけるパチンコ球の流れを図１２を用いて説明すると、パチンコ機２から排出されたパチンコ球や下部タンク９Ｌ、９Ｒに貯留されているパチンコ球は、貯留タンク２００Ｌ、２００Ｒを介して、中継樋２４Ｒに流入し、さらに回動樋２２Ｒからバイパス樋２１２の底板部２１３上を流下して落下口１２７上部を通過し、最終的にはバイパス樋２１２の球誘導部２１４に落下する。
【０１１７】
また、回動樋２２Ｌが跳ね上げられていることで、反対側の案内樋２４Ｌから流下するパチンコ球を清浄領域Ｚへ導く通路の一部が途切れることになり、中継樋２４Ｌから流下してきたパチンコ球は直接球誘導部２１４に落下し、底板部２１３から落下したパチンコ球と合流し、この合流したパチンコ球は球誘導部２１４から球誘導領域Ｙへ流出する。
【０１１８】
この球誘導領域Ｙは、パチンコ球が排出樋２６に向けて若干下方に傾斜しているので、図に示されるように前記誘導領域Ｙに流出したパチンコ球は自然流下により排出樋２６を介して揚送装置２５まで流下することになる。
【０１１９】
また、清浄装置５０に取付けられたバイパス樋２１２を取り外すには、回動樋２２Ｌ、２２Ｒを跳ね上げ、バイパス樋２１２の球流入部２１６側の側端２１６ａから持ち上げることで、容易に取外すことができる。
【０１２０】
そして、例えば清浄装置５０の故障等のメンテナンスが終了した際等において、仕切板８５を案内樋２８Ｌと案内樋２８Ｒの隙間に嵌め込み、回動樋２２Ｌ、２２Ｒを案内樋２８Ｌ、２８Ｒに載置することで、パチンコ球を清浄領域Ｚにて清浄可能な通常の状態に戻すことができる（図１１参照）。
【０１２１】
以上説明したように、本実施例における遊技機設置島１には、複数のパチンコ機２が設置されるとともに、遊技機設置島１の下部に配設される下部樋１０Ｌ、１０Ｒやパチンコ球を貯留する下部タンク９Ｌ、９Ｒや貯留タンク２００Ｌ、２００Ｒと、該貯留タンク２００Ｌ、２００Ｒから流入するパチンコ球を受け入れて該遊技媒体の清浄を実施する清浄装置５０と、該清浄装置５０によって清浄されたパチンコ球を上部タンク３に揚送する揚送装置２５と、該揚送装置２５により揚送された前記パチンコ球を貯留する該上部タンク３と、が備えられており、前記清浄装置５０の清浄領域Ｚを迂回させるための前記バイパス樋２１２を清浄装置５０の上方に設けられた案内樋２８Ｌ、２８Ｒに対して着脱出来るようになっている。
【０１２２】
よって、通常時においては、パチンコ機２から排出されたパチンコ球や下部タンク９Ｌ、９Ｒ内に貯留されたパチンコ球は、貯留タンク２００Ｌ、２００Ｒを介して必ず清浄装置５０の清浄領域Ｚに流入し、そこで清浄されたのちに揚送装置２５によって前記上部タンク３に揚送されるように循環経路が構成されていることから、清浄装置５０に故障等のトラブルが発生した場合には、清浄領域Ｚにてパチンコ球の流れが停止して揚送装置２５、引いては上部タンク３にパチンコ球を供給出来なくなる。すると、上部タンク３に貯留されるパチンコ球が徐々に減少してしまい、遊技機設置島１に設置される複数のパチンコ機２に対してパチンコ球の補給が行えなくなり、球不足等の発生により、遊技者の遊技に支障をきたす恐れがある。
【０１２３】
そこで、前記バイパス樋２１２を清浄装置５０に取付けることで、パチンコ機２から排出されたパチンコ球や下部タンク９Ｌ、９Ｒ内に貯留されたパチンコ球を、前記バイパス樋２１２により形成されるバイパス路によって、少なくとも清浄領域Ｚを通過させずに迂回させて前記揚送装置２５に誘導させることにより、遊技機設置島１に新たなパチンコ球の循環経路を形成できる。これにより揚送装置２５による上部タンク３へのパチンコ球の供給を続行することが出来るので、遊技機設置島１内におけるパチンコ球の循環停止を極力回避し、可能な限り遊技者の遊技に影響を与えることがない。
【０１２４】
また、貯留タンク２００Ｌ、２００Ｒから流出したパチンコ球を清浄装置５０の清浄領域Ｚまで導くために、清浄装置５０の上方の所定高さ位置に設けられた既存の案内樋２８Ｌ、２８Ｒを利用して、その案内樋２８Ｌ、２８Ｒの上にバイパス樋２１２を載置するだけで、前記貯留タンク２００Ｌ、２００Ｒから流入してくるパチンコ球を清浄領域Ｚを迂回させることなく揚送装置２５に導くバイパス路を簡単に構成することが出来る。
【０１２５】
よって、清浄装置５０の上方を外側で大きく回り込むように迂回するようなバイパス路を形成する場合に比べてバイパス路がコンパクト化されるため、遊技機設置島１内における狭いスペース内においてもバイパス路を容易に形成することが出来る。
【０１２６】
さらに本実施例においては、案内樋２８Ｌ、２８Ｒが上向きコ字状の樋のため、前記バイパス樋２１２を上方より載置するだけで容易に取付け出来、パチンコ球を揚送装置２５に導くバイパス路の形成が簡便かつ短時間で行うことが可能である。同様にバイパス樋２１２の取外しも簡便に行える。
【０１２７】
また、前記バイパス樋２１２の案内樋２８Ｌ、２８Ｒへの取付けの際に、清浄装置５０の球誘導領域Ｙの所定位置にバイパス樋２１２の球誘導部２１４が嵌合され、この嵌合作用により取付けられたバイパス樋２１２の位置ずれが防止されるため、取付けが容易になる。
【０１２８】
具体的には、例えばバイパス樋２１２に球誘導部２１４を形成せず、底板部２１３のみで構成されたバイパス樋を用いる場合、前記貯留タンク２００Ｒを介して清浄装置５０に流入してくるパチンコ球の流下による振動等によりバイパス樋に位置ずれが生じる恐れがあるため、ネジ等を用いてバイパス樋を固定したりする必要が生じるが、これに比べて本実施例の球誘導部２１４は底板部２１３から一段下げて形成されており、球誘導領域Ｙに嵌合されることで、その嵌合作用にて位置ずれ等の発生が防止される。
【０１２９】
また、前記下部タンク９Ｌや貯留タンク２００Ｌを介して流入するパチンコ球を清浄領域Ｚに導く通路（中継樋２４Ｌ、回動樋２２Ｌ、案内樋２８Ｌ）の下方に、清浄されたパチンコ球を揚送装置２５に導くための既存の球誘導領域Ｙや排出樋２６等があるため、このような場合には、前記回動樋２２Ｌを跳ね上げて流路の一部を分断し、下方の排出樋２６等に落下させるだけで、流下してきたパチンコ球は清浄領域Ｚに流入することなく、また、新たに設けたバイパス樋２１２等の通路部材を流下することなく揚送装置２５に流下される。すなわち、パチンコ球を清浄領域Ｚに導く通路の下方に揚送装置２５に繋がる既存の通路（球誘導領域Ｙや排出樋２６等）がある場合、前記揚送装置２５に繋がる通路の一部を分断して落下させることで、前記揚送装置２５に繋がる既存の通路の一部がバイパス路として機能することになるため、バイパス路を容易に形成することができる。
【０１３０】
次に、図１３には、バイパス樋２１２の変形例が示されている。本実施例の前記バイパス樋２１２は底板部２１３の長さが固定された部材なので、遊技場内に複数設置される遊技機設置島１毎に揚送装置２５と下部タンク９Ｒとの設置間隔や清浄装置５０自体の長さが種々異なる場合にはこれらの設置形態に合わせてバイパス樋２１２の底板部２１３を長手方向に対して長さを調整したものを用意すれば良いが、本発明はこれに限定されるものではなく、例えば図１３に示す伸縮バイパス樋４１２を用いても良い。
【０１３１】
この伸縮バイパス樋４１２は、前記バイパス樋２１２と略同様に構成され、底板部４１３左右の案内側板４２３に長手方向に延びる案内溝４１９が形成された案内板４１８と、前記案内板４１８の底板部４１３に摺接自在に載置されるとともに、長手方向の左右端部に形成される移動側板４２４に埋込ナット４２２が固着された移動板４２０と、から構成されている。
【０１３２】
この移動板４２０は、図１３（ａ）のＤ−Ｄ線の断面を示す図１３（ｂ）に示すように、前記埋込ナット４２２が前記案内溝４１９との対向位置に形成されおり、案内溝４１９の外方から埋込ナット４２２に螺入された案内ネジ４２１により、案内板４１８に対して長手方向に摺動自在に支持されている。
【０１３３】
前記案内溝４１９は、案内側板４２３の外面に凹設されたネジ受部４１９ａと、該凹設されたネジ受部４１９ａに形成されたネジ摺動部４１９ｂと、から構成されており、ネジ受部４１９ａが案内ネジ４２１の頭部と埋込ナット４２２とに挟み込まれることで案内板４１８に取付けられるとともに、ネジの頭部が外面に突出しないようになっている。
【０１３４】
よって、前後左右の埋込ナット４２２に取り付けられた案内ネジ４２１を緩めることで、移動板４２０を案内板４１８の底板部４１３にネジ摺動部４１９ｂの間隔内で対して摺接自在となるため、揚送装置２５と下部タンク９Ｒの設置間隔や清浄装置５０自体の長さが種々異なる場合においても、伸縮バイパス樋４１２を長手方向に伸縮することで対応出来るようになっている。
【０１３５】
また、移動板４２０と案内板４１８とが案内ネジ４２１によって摺動自在に取付けられているので、パチンコ球の流下による振動等で移動板４２０と案内板４１８との上下のガタ等が発生することが防止され、パチンコ球の流下に影響を与えることなく、球流入部４１６に流下したパチンコ球を球流出部４１７から流出させることができる。
【０１３６】
次に、上記実施例においては、清浄装置５０に対して着脱自在に設けられたバイパス樋２１２を用いて、清浄領域Ｚを経由させずにパチンコ球を揚送装置２５に導くバイパス路を形成しているが、本発明はこれに限定されるものではなく、例えば以下に説明するように、バイパス路を構成するバイパス部材等が予め清浄装置５０に備え付けられていてもよい。
【０１３７】
図１４及び図１５には、第１変形例としてのバイパス路が示されており、図１６及び図１７には第２変形例としてのバイパス路が示されている。以下、これら変形例の詳細を説明する。なお、以下の変形例において前記実施例と同様の構造や構成部位に関しては、同一の符号を付すことにより詳細な説明は省略することとする。
【０１３８】
（第１変形例）
図１４及び図１５に基づいてバイパス路の第１変形例を説明すると、まずバイパス樋５１２は、中継樋２４Ｒに連設され、中継樋２４Ｒから流下するパチンコ球を受け入れる球流入部５１３と、球流入部５１３からのパチンコ球を球誘導領域Ｙに流下させる球流出部５１４と、から構成されており、球流入部５１３と球流出部５１４の境で屈曲するように形成されている。
【０１３９】
バイパス樋５１２は、清浄領域Ｚの上方所定高さ位置に、中継樋２４Ｒ側から清浄領域Ｚの流出部１２８に向けて下方に傾斜するように取付けられている。中継樋２４Ｌ、２４Ｒには、切換樋５２１Ｌ、５２１Ｒが取付けられている。切換樋５２１Ｌ、５２１Ｒは清浄装置５０側に二股に分かれた形状になっており、切換樋５２１Ｒの一方端が前記案内樋２８Ｒと接続され、他方端が前記バイパス樋５１２と接続されている。切換樋５２１Ｌは、二股の一方端が案内樋２８Ｌと接続しており、他方端が球誘導樋５２４に接続されている。この球誘導樋５２４は切換樋５２１Ｌから球誘導領域Ｙ側に下方に傾斜するように接続されている。
【０１４０】
切換樋５２１Ｌ、５２１Ｒには、切換軸５２３Ｌ、５２３Ｒを介して切換手段としての切換板５２０Ｒ、５２０Ｌが軸周りに回動自在に設けられている。切換板５２０Ｌは、切換軸５２３Ｌを中心に手動で前記案内樋２８Ｌ側または球誘導樋５２４側に回動することで中継樋２４Ｌから流入するパチンコ球の流路の切換えを行え、切換板５２０Ｒは、切換軸５２３Ｒを中心に手動で前記案内樋２８Ｒ側またはバイパス樋５１２側に回動することで中継樋２４Ｒから流入するパチンコ球の流路の切換えを行える。
【０１４１】
ここで、このように構成されたバイパス樋５１２、５２４の作用を説明すると、清浄装置５０の清浄領域Ｚにて清浄可能な通常の状態では、図中実線で示されるように、切換板５２０Ｌを球誘導樋５２４側に、また、切換板５２０Ｒをバイパス樋５１２側に位置させておけば、中継樋２４Ｌ、２４Ｒから流下するパチンコ球を案内樋２８Ｌ、２８Ｒに向けて流下させ、落下口１２７に導くことができる。
【０１４２】
次に、清浄装置５０が何らかの要因で故障または停止等でパチンコ球の清浄が行えなくなった場合には、図１４に示すように、切換板５２０Ｌの向きを図中２点鎖線で示される位置に切換えることで、中継樋２４Ｌから流下するパチンコ球を球誘導樋５２４に誘導し、球誘導領域Ｙに流下させ、排出樋２６に流入させることができる。
【０１４３】
また、切換板５２０Ｒの向きを図中２点鎖線で示される位置に切換えることで、中継樋２４Ｒから流下するパチンコ球をバイパス樋５１２に誘導し、球流入部５１３から球流出部５１４にかけて流下させて球誘導領域Ｙに流出させることができ、球誘導領域Ｙから排出樋２６に流入させることができる。
【０１４４】
このように、前記清掃領域Ｚにパチンコ球を導く案内樋２８Ｌ、２８Ｒを通過させることなく、中継樋２４Ｌ、２４Ｒから直接排出樋２６までパチンコ球を誘導するバイパス路を構成するバイパス樋５１２、球誘導樋５２４が予め清浄装置５０の上方に設けられているとともに、前記中継樋２４Ｌ、２４Ｒから流入するパチンコ球の流路をバイパス路または案内樋２８Ｌ、２８Ｒのいずれかに切換え可能な切換え手段である切換板５２０Ｌ、５２０Ｒを有していることにより、切換板５２０Ｌ、５２０Ｒの向きを手動で切換えるだけで、前記中継樋２４Ｌ、２４Ｒから流入するパチンコ球の流路をバイパス路または案内樋２８Ｌ、２８Ｒのいずれかに容易に切換ることが出来るため、前述したように清浄装置５０が故障した場合にあっても、パチンコ球を容易にバイパス路に誘導して清浄領域Ｚを迂回させて揚送装置２５に流下させることができる。
【０１４５】
なお、本実施例における切換手段としての切換板５２０Ｌ、５２０Ｒは切換軸５２３Ｌ、５２３Ｒ周りに回動自在に設けられていたが、これら切換板５２０Ｌ、５２０Ｒは必ずしも回動自在に設けられている必要はなく、例えばこれら切換板５２０Ｌ、５２０Ｒを、前記中継樋２４Ｌ、２４Ｒから流入するパチンコ球の流路をバイパス路側とする位置、または案内樋２８Ｌ、２８Ｒ側とする切換可能な位置にそれぞれ着脱自在に設けることが出来るようにし、必要に応じて設置位置を変えることで流路を切換出来るようにしてもよい。
【０１４６】
（第２変形例）
次に、図１６及び図１７に基づいてバイパス路の第２変形例を説明すると、まず、清浄装置５０に取付けられた案内樋２８Ｌ、２８Ｒの上流側には球抜き孔６２０Ｌ、６２０Ｒが形成されている。この球抜き孔６２０Ｌ、６２０Ｒの大きさは、流路切換え手段の一例であるスライド板６４０Ｌ、６４０Ｒの底板部６４１Ｒ、６４１Ｌが案内樋２８Ｌ、２８Ｒの長手方向に対して垂直にスライド可能な幅が形成されている。
【０１４７】
バイパス樋６１２は、中継樋２４Ｒから流入するパチンコ球を受け入れる球流入部６１３と、球流入部６１３からのパチンコ球を球誘導領域Ｙに流下させる球流出部６１４から構成されており、球流入部６１３と球流出部６１４の境で屈曲するように形成されている。また、バイパス樋６１２は、球流入部６１３の上流側が前記球抜き孔６２０Ｌの下方に位置するように設けられ、この球抜き孔６２０Ｒの下部位置から清浄領域Ｚの流出部１２８の上方に向けて下方に傾斜するように設けられている。
【０１４８】
清浄装置５０の中継樋２４Ｒ、２４Ｌ側の枠体５６には、スライド板６４０Ｌ、６４０Ｒをスライド移動させるための駆動モータ６３０Ｌ、６３０Ｒが取付けられたモータ取付板６３３Ｌ、６３３Ｒがネジ６３４によって取付けられている。この駆動モータ６３０Ｌ、６３０Ｒには、駆動軸６３２Ｌ、６３２Ｒの先端部に歯車状のピニオン６３１Ｌ、６３１Ｒが固着されている。なお、これら駆動モータ６３０Ｌ、６３０Ｒは、清浄装置５０の駆動を制御する清浄用制御装置（図示略）にて制御されている。
【０１４９】
前記スライド板６４０Ｒ、６４０Ｌは、底板部６４１Ｒ、６４１Ｌと、該底板部６４１Ｒ、６４１Ｌから一段下げて形成されるラック６４２Ｌ、６４２Ｒと、から構成されており、このラック６４２Ｌ、６４２Ｒには前記ピニオン６３１Ｌ、６３１Ｒと噛合するギアが形成されている。
【０１５０】
スライド板６４０Ｒ、６４０Ｌは、底板部６４１Ｒ、６４１Ｌが前記球抜き孔６２０Ｌ、６２０Ｒの下方に位置するように、図示しないガイド部材を介してスライド移動自在に取付けられている。よって、底板部６４１Ｒ、６４１Ｌは、球抜き孔６２０Ｌ、６２０Ｒを閉塞する閉塞位置において、中継樋２４Ｌ、２４Ｒから流下するパチンコ球を落下口１２７に導く案内樋２８Ｌ、２８Ｒの流下通路の底面の一部を構成する。
【０１５１】
ここで、駆動モータ６３０Ｒ、６３０Ｌを駆動してピニオン６３１Ｌ、６３１Ｒが回転されると、このピニオン６３１Ｌ、６３１Ｒの回転運動がラック６４２Ｌ、６４２Ｒの直線運動に変換され、スライド板６４０Ｌ、６４０Ｒが図中矢印の示す方向に移動される。
【０１５２】
このように流路切換え手段の一例であるスライド板６４０Ｒ、６４０Ｌは、球抜き孔６２０Ｌ、６２０Ｒを閉塞する閉塞位置と、球抜き孔６２０Ｌ、６２０Ｒを開放する開放位置と、の間でスライド移動自在に設けられている。
【０１５３】
ここで、清浄装置５０の清浄領域Ｚにて清浄可能な通常の状態では、スライド板６４０Ｒ、６４０Ｌを、球抜き孔６２０Ｌ、６２０Ｒを閉塞する閉塞位置に位置させることで、中継樋２４Ｌ、２４Ｒから流下するパチンコ球を案内樋２８Ｌ、２８Ｒに流下させ、落下口１２７に導くことができる。
【０１５４】
また、清浄装置５０の何らかの故障等何らかの要因により、清浄領域Ｚのパチンコ球の清浄が行われなくなり（通常時において清浄領域Ｚに流入するパチンコ球がないことで清浄装置５０の駆動が停止される場合を除く）、流出部１２８から排出されず、排出樋２６に設けられた検出センサ６５２により揚送装置２５に導く排出樋２６から自然流下してくるパチンコ球が検出されない状態が所定時間（例えば２０秒）継続すると、駆動モータ６３０Ｒ、６３０Ｌの駆動制御が開始され、図１７に示すように、スライド板６４０Ｒ、６４０Ｌを球抜き孔６２０Ｌ、６２０Ｒの下方である前記閉塞位置から、駆動モータ６３０Ｒ、６３０Ｌ側である前記開放位置までスライドさせることで、球抜き孔６２０Ｌ、６２０Ｒが開放する。
【０１５５】
この球抜き孔６２０Ｌ、６２０Ｒの開放により、中継樋２４Ｌから流下するパチンコ球を球抜き孔６２０Ｌから球誘導領域Ｙに落下させ排出樋２６に流入させることができ、また、中継樋２４Ｒから流下するパチンコ球を球抜き孔６２０Ｒから前記バイパス樋６１２の球流入部６１３に落下させ、球流入部６１３から球流出部６１４を介して球誘導領域Ｙに、さらに球誘導領域Ｙから排出樋２６に自然流下により流入させることができる。
【０１５６】
このように、検出センサ６５２により排出樋２６に流入するパチンコ球が検出されない状態が所定時間である２０秒継続したと判定されたこと、すなわち、前記清浄装置５０において何らかの異常が検出されたことに基づいて、前記スライド板６４０Ｌ、６４０Ｒを移動させて、球抜き孔６２０Ｌ、６２０Ｒを開口させ、パチンコ球の流下をバイパス樋６１２側に切換制御を行う前記清浄用制御装置により、清浄装置５０に異常が発生した場合には、前記駆動モータ６３０Ｌ、６３０Ｒを介して自動的にパチンコ球の流下をバイパス樋６１２側に切換えることで、前記下部タンク９Ｒや貯留タンク２００Ｒを介して流入するパチンコ球を清浄領域Ｚを経由させずに揚送装置２５に流下させることができ、清浄装置５０の異常からもたらされる遊技に与える影響を極力に抑えることが出来る。
【０１５７】
なお、図１に示すように遊技機設置島１の左右上部には、異常報知ランプ６６１と正常報知ランプ６６２が設けられた報知ボックス６６０が取付けられており、前述の清浄装置５０の何らかの故障により、前記清浄用制御装置により駆動モータ６３０Ｒ、６３０Ｌの駆動制御が開始されると、前記清浄用制御装置により異常報知ランプ６６１が点灯され、管理者や店員等の遊技場の関係者は、遊技機設置島１内の清浄装置５０を確認することなく、異常が発生した旨を容易に把握することができる。
【０１５８】
駆動モータ６３０Ｒ、６３０Ｌの駆動制御の開始後において、検出センサ６５２により排出樋２６から自然流下してくるパチンコ球の検出が行われると正常報知ランプ６６２が点灯されるようになっており、管理者や店員等の遊技場の関係者は、遊技機設置島１内の清浄装置５０を目視にて確認することなく、バイパス路（バイパス樋６１２、球誘導領域Ｙ）に流下したパチンコ球が実際に正常に揚送装置２５へ誘導されている旨を把握することができる。
【０１５９】
以上説明してきたように、第１変形例のバイパス路（バイパス樋５１２、切換樋５２１Ｒ、５２１Ｌ、球誘導樋５２４、球誘導領域Ｙ）や第２変形例のバイパス路（バイパス樋６１２、球誘導領域Ｙ）等の構成のように、バイパス路が予め清浄装置５０に設けられている場合であっても、前実施例と同様に、前記清浄装置５０に故障等のトラブルが発生した場合において、前記下部タンク９Ｌや貯留タンク２００Ｌを介して、中継樋２４Ｌ、２４Ｒから流入するパチンコ球を少なくとも清浄領域Ｚを経由させずに球誘導領域Ｙに流出させ、排出樋２６に流入させることで、揚送装置２５の流入口３７に自然流下させることができるので、新たなパチンコ球の循環経路を形成でき、可能な限り遊技者の遊技に影響を与えることのない遊技機設置島１を提供することができる。
【０１６０】
また、流路切換え手段は、上記第１変形例にて説明した回動式の切換板５２０Ｌ、５２０Ｒや、第２変形例にて説明したスライド板６４０Ｒ、６４０Ｌ等のように、１つの部材にて流路を切換可能な部材にて構成されるものに限定されるものではなく、例えば切換板５２０Ｌ（５２０Ｒ）の換わりに、回動規制位置それぞれに開放自在に設けられた２つのシャッタ部材等にて構成されていてもよい。
【０１６１】
前記各実施例における各要素は、本発明に対して以下のように対応している。
【０１６２】
本発明の請求項１は、複数の遊技機（パチンコ機）が設置されるとともに、遊技機設置島（遊技機設置島１）の下部に配設され、遊技媒体（パチンコ球）を貯留する下部貯留領域（貯留タンク２００Ｒ、２００Ｌ、下部タンク９Ｒ、９Ｌ、下部樋１０Ｒ、１０Ｌ）と、該下部貯留領域（貯留タンク２００Ｒ、２００Ｌ、下部タンク９Ｒ、９Ｌ、下部樋１０Ｒ、１０Ｌ）から流出される遊技媒体（パチンコ球）を受け入れて該遊技媒体の清浄を実施する清浄装置（清浄装置５０）と、該清浄装置（清浄装置５０）によって清浄された遊技媒体（パチンコ球）を前記遊技機設置島（遊技機設置島１）の上部に揚送する揚送装置（揚送装置２５）と、該揚送装置（揚送装置２５）により揚送された前記遊技媒体（パチンコ球）を貯留する上部貯留領域（上部タンク３）と、を備える遊技機設置島（遊技機設置島１）であって、
前記下部貯留領域（貯留タンク２００Ｒ、２００Ｌ、下部タンク９Ｒ、９Ｌ、下部樋１０Ｒ、１０Ｌ）から流入する遊技媒体（パチンコ球）を、前記清浄装置（清浄装置５０）の少なくとも清浄領域（清浄領域Ｚ）を経由させずに前記揚送装置（揚送装置２５）へ導くためのバイパス路が形成可能に構成されている。
【０１６３】
本発明の請求項２の前記バイパス路は、前記下部貯留領域（貯留タンク２００Ｒ、２００Ｌ、下部タンク９Ｒ、９Ｌ、下部樋１０Ｒ、１０Ｌ）から流入する遊技媒体（パチンコ球）を前記揚送装置（揚送装置２５）に導く着脱可能な通路部材（バイパス樋２１２）である。
【０１６４】
本発明の請求項３の前記通路部材（バイパス樋２１２）は、長手方向に伸縮自在に形成されている。
【０１６５】
本発明の請求項４は、前記下部貯留領域（貯留タンク２００Ｒ、２００Ｌ、下部タンク９Ｒ、９Ｌ、下部樋１０Ｒ、１０Ｌ）から流出される遊技媒体（パチンコ球）の流路を、前記清浄装置（清浄装置５０）側または前記バイパス路（バイパス樋５１２、切換樋５２１Ｒ、５２１Ｌ、球誘導樋５２４、球誘導領域Ｙ）側のいずれかに切換える切換え手段（切換板５２０Ｒ、５２０Ｌ、切換軸５２３Ｒ、５２３Ｌ）を有している。
【０１６６】
本発明の請求項５は、前記清浄装置（清浄装置５０）の異常を検出する異常検出手段（検出センサ６５２）と、
前記異常検出手段（検出センサ６５２）により前記清浄装置（清浄装置５０）の異常が検出されたことに基づいて、前記切換え手段（スライド板６４０Ｒ、６４０Ｌ、駆動モータ６３０Ｒ、６３０Ｌ）を前記バイパス路（バイパス樋６１２、球誘導領域Ｙ）側に切換える切換制御を行う切換制御手段（清浄用制御装置）と、
を備える。
【０１６７】
本発明の請求項６は、前記切換制御手段（清浄用制御装置）により前記切換え手段（スライド板６４０Ｒ、６４０Ｌ、駆動モータ６３０Ｒ、６３０Ｌ）を前記バイパス路（バイパス樋６１２、球誘導領域Ｙ）側に切換える切換制御が行われている状態を報知する切換報知手段（異常報知ランプ６６１）を備える。
【０１６８】
本発明の請求項７は、前記切換制御手段（清浄用制御装置）により前記切換え手段（スライド板６４０Ｒ、６４０Ｌ、駆動モータ６３０Ｒ、６３０Ｌ）を前記バイパス路（バイパス樋６１２、球誘導領域Ｙ）側に切換える切換制御が行われているとき、前記バイパス路（バイパス樋６１２、球誘導領域Ｙ）の遊技媒体（パチンコ球）を検出する遊技媒体検出手段（検出センサ６５２）と、
該遊技媒体検出手段（検出センサ６５２）による検出結果に基づいて、前記バイパス路（バイパス樋６１２、球誘導領域Ｙ）を遊技媒体（パチンコ球）が流下しているか否かを認識可能に報知する報知手段（正常報知ランプ６６２）と、
を備える。
【０１６９】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１７０】
例えば、上記実施例における清浄装置５０は、揺動モータ５９により揺動板５２を揺動させて、揺動板５２上のシート部材Ｓと、その上面に載置されるパチンコ球と、を摺接させることによりパチンコ球の表面を清浄する清浄装置であるが、清浄装置はこのように揺動板等の揺動作用によりパチンコ球を清浄部材に摺接させて清浄するものに限定されるものではなく、例えば揺動板等を用いることなく、洗浄液等を使用することによってパチンコ球の表面を清浄するような清浄装置等であってもよい。
【０１７１】
また、上記実施例における清浄装置５０は、遊技機設置島１内における揚送装置２５に流入するパチンコ球を清浄する箇所に配設されていたが、遊技機設置島１内における配置位置は記載した箇所に限定されるものではなく、例えば下部タンク９Ｒ、９Ｌ内に貯留されたパチンコ球がミニリフト２１０Ｒ、２１０Ｌにより揚送されて排出され、清浄装置５０内に流入して清浄された後に揚送装置２５で揚送されるようになっていれば、清浄装置５０は、必ずしも図１及び図３に示されるように揚送装置２５の近傍に配置されていなくてもよい。
【０１７２】
また、上記実施例では第３の遊技媒体貯留部としての上部タンク３が設けられているが、本発明はこれに限定されるものではなく、パチンコ球を貯留する下部タンク９Ｒ、９Ｌの容量を増やしたり、貯留されているパチンコ球を上方へ揚送する揚送装置２５、ミニリフト２１０Ｒ、２１０Ｌの揚送能力を向上するなど、パチンコ球を遊技機設置島１内で十分に循環させることが可能となっていれば、上部タンク３を設けない構成としてもよい。
【０１７３】
また、上記実施例では、揚送装置２５、ミニリフト２１０Ｒ、２１０Ｌは、バケット３３、２３３内にパチンコ球を貯留して上方へ揚送するようになっているが、本発明はこれに限定されるものではなく、例えば、揚送ベルトを回動させることによりパチンコ球を揚送するベルト式揚送装置や、揚送筒内に設けたスクリューを回転させることによりパチンコ球を揚送するスクリュー式揚送装置等であってもよい。
【０１７４】
また、本発明請求項中に記載の「遊技媒体」は、上記実施例における球状のパチンコ球に対応しているが、特にこれに限定されるものではなく、例えば遊技機としてのスロットマシン等に使用されるメダル等であってもよい。
【０１７５】
【発明の効果】
本発明は次の効果を奏する。
【０１７６】
（ａ）請求項１の発明によれば、前記清浄装置に故障等のトラブルが発生した場合に、前記下部貯留領域から流出される遊技媒体を前記バイパス路で少なくとも清浄領域を通過させずに前記揚送装置に誘導させることにより、遊技機設置島に新たな遊技媒体の循環経路を形成でき、可能な限り遊技者の遊技に影響を与えることのない遊技機設置島を提供することができる。
【０１７７】
（ｂ）請求項２の発明によれば、前記清浄装置に故障等のトラブルが発生した場合に、前記樋を設置するだけで、前記下部貯留領域から流出される遊技媒体を容易に揚送装置に導く簡便なバイパス路の形成が可能になる。
【０１７８】
（ｃ）請求項３の発明によれば、揚送装置と下部貯留領域の設置間隔や清浄装置自体の長さが種々異なる場合においても樋の長さ変更で種々対応可能となる。
【０１７９】
（ｄ）請求項４の発明によれば、予めバイパス路を設置しておくことで、切換え手段を切換えるだけで、前記下部貯留領域から流入する前記遊技媒体を前記清浄装置側から前記バイパス路側に切換えを行うことができ、前記遊技媒体をバイパス路に流入させることができる。
【０１８０】
（ｅ）請求項５の発明によれば、清浄装置に異常が発生した場合に、前記切換制御手段により、自動的に前切換え手段を行うことで、迅速にバイパス路に切換えることができ、清浄装置の異常からもたらされる遊技に与える影響を最小限にできる。
【０１８１】
（ｆ）請求項６の発明によれば、報知手段の報知により、管理者や店員等の遊技場の関係者は、遊技機設置島内の清浄装置を確認することなく、異常が発生した旨を容易に把握することができる。
【０１８２】
（ｇ）請求項７の発明によれば、報知手段の報知により、管理者や店員等の遊技場の関係者は、遊技機設置島内の清浄装置を確認することなく、バイパス路に流下した遊技媒体が正常に揚送装置へ誘導されている旨を把握することができる。
【図面の簡単な説明】
【図１】本発明の実施例としての遊技機設置島の内部構造を示す断面図である。
【図２】図１のＡ−Ａ断面図である。
【図３】図１の遊技機設置島の要部の内部構造を示す平面図である。
【図４】貯留タンク、揚送タンク、ミニリフトの構成を示す斜視図である。
【図５】図１の遊技機設置島に適用された清浄装置を示す外観斜視図である。
【図６】図５のＢ−Ｂ断面図である。
【図７】シート部材の巻取り状況を示す概略断面図である。
【図８】揺動板上へのパチンコ球の流入状況及び揺動状態を示す要部拡大断面図である。
【図９】揺動板の揺動時におけるパチンコ球の移動状態を示す概略平面図である。
【図１０】清浄装置に樋を取付けた外観斜視図である。
【図１１】（ａ）清浄装置に樋を取付ける取付け過程を示す図１０のＣ−Ｃ線の概略断面図である。
（ｂ）樋が取付けられた清浄装置を示す概略断面図である。
【図１２】清浄装置の停止時におけるパチンコ球の移動状態を示す概略平面図である。
【図１３】（ａ）伸縮可能な樋を示す外観斜視図である。
（ｂ）伸縮可能な樋のＤ−Ｄ線の断面図である。
【図１４】バイパス路の第１変形例を示す外観斜視図である。
【図１５】図１４の清浄装置の停止時におけるパチンコ球の移動状態を示す概略平面図である。
【図１６】バイパス路の第２変形例を示す外観斜視図である。
【図１７】図１６の清浄装置の停止時におけるパチンコ球の移動状態を示す概略平面図である。
【符号の説明】
１                        遊技機設置島
３                        上部タンク
９Ｒ、Ｌ                  下部タンク
１０Ｒ、Ｌ                下部樋
２５                      揚送装置
５０                      清浄装置
２００Ｒ、Ｌ              貯留タンク
２１２                    バイパス樋
５１２                    バイパス樋
５２０Ｒ、Ｌ              切換板
５２１Ｒ、Ｌ              切換樋
５２３Ｒ、Ｌ              切換軸
５２４                    球誘導樋
６１２                    バイパス樋
６３０Ｒ、Ｌ              駆動モータ
６４０Ｒ、Ｌ              スライド板
６５２                    検出センサ
６６１                    異常報知ランプ
６６２                    正常報知ランプ
Ｙ                        球誘導領域
Ｚ                        清浄領域
【図１】
2004321255.tif 000003
【図２】
2004321255.tif 000004
【図３】
2004321255.tif 000005
【図４】
2004321255.tif 000006
【図５】
2004321255.tif 000007
【図６】
2004321255.tif 000008
【図７】
2004321255.tif 000009
【図８】
2004321255.tif 000010
【図９】
2004321255.tif 000011
【図１０】
2004321255.tif 000012
【図１１】
2004321255.tif 000013
【図１２】
2004321255.tif 000014
【図１３】
2004321255.tif 000015
【図１４】
2004321255.tif 000016
【図１５】
2004321255.tif 000017
【図１６】
2004321255.tif 000018
【図１７】
2004321255.tif 000019